(57)【要約】使用モードの違いにより出力信号を適切な送信出力値に変更することができる無線通信機は、予め定められた複数の使用モードにそれぞれ対応した複数の最大送信出力を記憶する記憶部（６）と、使用モードを検出する使用モード検出部（１０，１１，１２，１３，１４，１５，７，２７，３７，４７，５７，６７，７７，８７）と、前記使用モード検出部（１０，１１，１２，１３，１４，１５，７，２７，３７，４７，５７，６７，７７，８７）および前記記憶部（６）に接続され、前記使用モード検出部（１０，１１，１２，１３，１４，１５，７，２７，３７，４７，５７，６７，７７，８７）での検出結果に基づいて、最大送信出力を決定する最大送信出力決定部（７，３）と、外部に信号を送信する送信回路（２）と、前記最大送信出力決定部（７，３）および前記送信回路（２）に接続され、前記最大送信出力に基づいて、前記送信回路（２）からの送信出力を制御する出力制御回路（４）とを含む。
2002029986.tif 000002
【特許請求の範囲】
【請求項１】
予め定められた複数の使用モードにそれぞれ対応した複数の最大送信出力を記憶する記憶部（６）と、
使用モードを検出する使用モード検出部（１０，１１，１２，１３，１４，１５，７，２７，３７，４７，５７，６７，７７，８７）と、
前記使用モード検出部（１０，１１，１２，１３，１４，１５，７，２７，３７，４７，５７，６７，７７，８７）および前記記憶部（６）に接続され、前記使用モード検出部（１０，１１，１２，１３，１４，１５，７，２７，３７，４７，５７，６７，７７，８７）での検出結果に基づいて、最大送信出力を決定する最大送信出力決定部（７，３）と、
外部に信号を送信する送信回路（２）と、
前記最大送信出力決定部（７，３）および前記送信回路（２）に接続され、前記最大送信出力に基づいて、前記送信回路（２）からの送信出力を制御する出力制御回路（４）とを含む、無線通信機。
【請求項２】
前記使用モード検出部（１０，１１，１２，１３，１４，１５，７，２７，３７，４７，５７，６７，７７，８７）は、外部機器が接続されているか否かに基づいて、使用モードを検出する、請求項１に記載の無線通信機。
【請求項３】
前記使用モード検出部（１０，１１，１２，１３，１４，１５，７，２７，３７，４７，５７，６７，７７，８７）は、予め定められた間隔で使用モードを検出する、請求項１に記載の無線通信機。
【請求項４】
前記使用モード検出部（１０，１１，１２，１３，１４，１５，７，２７，３７，４７，５７，６７，７７，８７）は、着信時または発呼時に使用モードを検出する、請求項１に記載の無線通信機。
【請求項５】
前記使用モード検出部（１０，１１，１２，１３，１４，１５，７，２７，３７，４７，５７，６７，７７，８７）は、無線通信機への電源投入時に使用モードを検出する、請求項１に記載の無線通信機。
【請求項６】
前記使用モード検出部（１０，１１，１２，１３，１４，１５，７，２７，３７，４７，５７，６７，７７，８７）は、外部機器との間で通信を行ない、通信結果に基づいて、使用モードを検出する、請求項１に記載の無線通信機。
【請求項７】
前記使用モード検出部（１０，１１，１２，１３，１４，１５，７，２７，３７，４７，５７，６７，７７，８７）は、
無線通信機周辺の温度を測定する温度測定部（１１）と、
前記温度測定部（１１）に接続され、前記温度測定部（１１）の出力結果に基づいて、使用モードを検出する検出回路（３７）とを含む、請求項１に記載の無線通信機。
【請求項８】
前記使用モード検出部（１０，１１，１２，１３，１４，１５，７，２７，３７，４７，５７，６７，７７，８７）は、
無線通信機から障害物までの距離を測定する距離測定部（１２）と、
前記距離測定部（１２）に接続され、前記距離測定部（１２）の出力結果に基づいて、使用モードを検出する検出回路（４７）とを含む、請求項１に記載の無線通信機。
【請求項９】
前記使用モード検出部（１０，１１，１２，１３，１４，１５，７，２７，３７，４７，５７，６７，７７，８７）は、
無線通信機の振動の振幅を測定する振幅測定部（１３）と、
前記振幅測定部（１３）に接続され、前記振幅測定部（１３）の出力結果に基づいて、使用モードを検出する検出回路（５７）とを含む、請求項１に記載の無線通信機。
【請求項１０】
前記使用モード検出部（１０，１１，１２，１３，１４，１５，７，２７，３７，４７，５７，６７，７７，８７）は、
無線通信機の傾きを測定する傾き測定部（１４）と、
前記傾き測定部（１４）に接続され、前記傾き測定部（１４）の出力結果に基づいて、使用モードを検出する検出回路（６７）とを含む、請求項１に記載の無線通信機。
【請求項１１】
前記使用モード検出部（１０，１１，１２，１３，１４，１５，７，２７，３７，４７，５７，６７，７７，８７）は、
無線通信機に対する操作を受付ける操作部（１５）と、
前記操作部（１５）に接続され、前記操作部（１５）の出力結果に基づいて、使用モードを検出する検出回路（７７）とを含む、請求項１に記載の無線通信機。
【請求項１２】
前記使用モード検出部（１０，１１，１２，１３，１４，１５，７，２７，３７，４７，５７，６７，７７，８７）は、
無線通信機の振動の振幅を測定する振幅測定部（１３）と、
無線通信機の傾きを測定する傾き測定部（１４）と、
前記振幅測定部（１３）および前記傾き測定部（１４）に接続され、前記振幅測定部（１３）および前記傾き測定部（１４）のそれぞれの出力結果に基づいて、使用モードを検出する検出回路（８７）とを含む、請求項１に記載の無線通信機。
【発明の詳細な説明】
技術分野
本発明は、無線通信機に関し、特に、使用モードに応じて最適な無線出力を送信可能な無線通信機に関する。
背景技術
従来、携帯電話機にブースタ（無線出力増幅器）を接続して無線出力を増強することは一般的に行なわれている。
たとえば、第１図を参照して、日本国特開平８−６５３６５に開示された無線通信装置は、ＲＦ（Ｒａｄｉｏ　Ｆｒｅｑｕｅｎｃｙ）信号線１１８および制御信号線１１９を介して接続される携帯電話機１１６およびブースタ１１７を含む。
携帯電話機１１６は、アンテナ５と、出力信号を送信する送信回路２と、送信回路２の出力を制御する出力制御回路４と、送信回路２に接続され、出力信号を入力として受け、後述する制御回路からの選択信号に基づいて、アンテナ５、またはＲＦ信号線１１８を通じてブースタ１１７に、出力信号を導くスイッチ１２０と、出力制御回路４およびスイッチ１２０に接続され、出力制御回路４を制御し、スイッチ１２０に選択信号を供給する制御回路１０３とを含む。
制御回路１０３は、増幅レベル記憶器１２１、最大送信出力記憶器１２２、接続検出回路１２３およびＣＰＵ（Ｃｅｎｔｒａｌ　Ｐｒｏｃｅｓｓｉｎｇ　Ｕｎｉｔ）１０７を含む。
ブースタ１１７は、携帯電話機１１６からＲＦ信号線１１８を介して受信した出力信号を増幅する出力増幅回路１２４と、出力増幅回路１２４に接続され、出力増幅回路からの出力を制御する出力制御回路１２５と、出力増幅回路１２４に接続されたアンテナ１２７と、制御信号線１１９および出力制御回路１２５に接続され、出力制御回路１２５を制御する制御回路１２６とを含む。
制御回路１２６は、増幅レベル記憶器１２８および増幅レベル記憶器１２８に接続されたＣＰＵ１２９を含む。
携帯電話機１１６にブースタ１１７が接続された時、携帯電話機１１６の接続検出回路１２３によってブースタ１１７が接続されたことが検出される。携帯電話機１１６のＣＰＵ１０７には携帯電話機１１６が通話中または待受中を示す情報が蓄えられている。ＣＰＵ１０７はこの情報に基づいて、携帯電話機１１６にブースタ１１７が接続された時点が通話中であるか待受中であるかを判定する。
通話中にブースタ１１７が接続されたと判定された場合、携帯電話機１１６側では、ＣＰＵ１０７の指示によって、制御回路１０３から制御信号線１１９を介して通話中に両者が接続されたことを示す情報がブースタ１１７に送出される。また、ＣＰＵ１０７は増幅レベル記憶器１２１に保持されているブースタ１１７側で増幅させるレベル情報を制御回路１０３から制御信号線１１９を介してブースタ１１７に送出する。さらに、ＣＰＵ１０７は、通話開始時に設定された最大送信出力記憶器１２２に記憶されている出力レベルから増幅レベル記憶器１２１に記憶されている出力レベル分を引いた送信出力値を計算する。制御回路１０３は、送信出力値に基づき、出力制御回路４に制御信号を送信する。出力制御回路４は、送信出力を所望のレベルに設定するようにして送信回路２を制御する。
この結果、レベル変更された出力が送信回路２から出力される。同時に制御回路１０３は、スイッチ１２０を切換え、無線信号を携帯電話機アンテナ５からＲＦ信号線１１８へ供給する。無線信号はＲＦ信号線１１８を介してブースタ出力増幅回路１２４に供給される。
ブースタ１１７の制御回路１２６は、携帯電話機１１６から通話中に携帯電話機１１６およびブースタ１１７が接続されたという情報を、制御信号線１１９を介して受取ると、その情報をＣＰＵ１２９に通知する。さらに、制御回路１２６は、携帯電話機１１６から増幅レベル情報を受信すると、その情報を増幅レベル記憶器１２８に記憶する。ＣＰＵ１２９は、増幅レベル記憶器１２８に保持されている増幅レベル情報に基づき、出力制御回路１２５を介して、出力増幅回路１２４を制御する。出力増幅回路１２４は、増幅した出力信号をアンテナ１２７から送出する。
このようにして、通話中に携帯電話機１１６をブースタ１１７に接続しても、その通話開始時に設定された最大送信出力を越えない無線出力制御を実現することができる。すなわち、この無線通信装置では、携帯電話機１１６のアンテナ５を使用するか、ブースタ１１７のアンテナ１２７を使用するかという機構的差異により出力信号の最大の送信出力値を調節している。
しかし、この装置では、机上に設置して使用したり、利用者の耳にあてて使用したり等の使用モードの違いにより、出力信号を最適な送信出力値に変更したい場合には、そのような制御を行なうことができないという問題がある。
発明の開示
本発明は、上述の課題を解決するためになされたもので、その目的は、使用モードの違いにより出力信号を適切な送信出力値に変更することができる無線通信機を提供することである。
本発明の他の目的は、使用モードの違いを自動検出し、出力信号を適切な送信出力値に変更することができる無線通信機を提供することである。
本発明のある局面に従う無線通信機は、予め定められた複数の使用モードにそれぞれ対応した複数の最大送信出力を記憶する記憶部と、使用モードを検出する使用モード検出部と、使用モード検出部および記憶部に接続され、使用モード検出部での検出結果に基づいて、最大送信出力を決定する最大送信出力決定部と、外部に信号を送信する送信回路と、最大送信出力決定部および送信回路に接続され、最大送信出力に基づいて、送信回路からの送信出力を制御する出力制御回路とを含む。
使用モード検出部で使用モードが検出され、使用モードに基づいて最大送信出力が決定される。このため、使用モードの違いにより、出力信号を適切な送信出力値に変更することができる。
好ましくは、使用モード検出部は、着信時または発呼時に使用モードを検出する。
着信時または発呼時のみに使用モードが検出される。このため、通信中に使用モードの変更が行なわれないような場合には、使用モード検出部の処理回数を最小限に減らすことができる。
さらに好ましくは、使用モード検出部は、無線通信機への電源投入時に使用モードを検出する。
電源投入時のみに使用モードが検出される。このため、電源投入後に使用モードの変更が行なわれない無線通信機の場合には、使用モード検出部の処理回数を最小限に減らすことができる。
さらに好ましくは、使用モード検出部は、無線通信機周辺の温度を測定する温度測定部と、温度測定部に接続され、温度測定部の出力結果に基づいて、使用モードを検出する検出回路とを含む。
使用モードにより無線通信機周辺の温度が変化する場合に、無線通信機周辺の温度を測定することにより、使用モードを検出し、出力信号を適切な送信出力値に変更することができる。
さらに好ましくは、使用モード検出部は、無線通信機から障害物までの距離を測定する距離測定部と、距離測定部に接続され、距離測定部の出力結果に基づいて、使用モードを検出する検出回路とを含む。
使用モードにより無線通信機と障害物（例えば利用者）までの距離が変化する場合に、無線通信機から障害物（例えば利用者）までの距離を測定することにより、使用モードを検出し、出力信号を適切な送信出力値に変更することができる。
さらに好ましくは、使用モード検出部は、無線通信機の振動の振幅を測定する振幅測定部と、振幅測定部に接続され、振幅測定部の出力結果に基づいて、使用モードを検出する検出回路とを含む。
使用モードにより無線通信機の振動が変化する場合に、無線通信機の振動の振幅を測定することにより、使用モードを検出し、出力信号を適切な送信出力値に変更することができる。
さらに好ましくは、使用モード検出部は、無線通信機の傾きを測定する傾き測定部と、傾き測定部に接続され、傾き測定部の出力結果に基づいて、使用モードを検出する検出回路とを含む。
使用モードにより無線通信機の傾きが変化する場合に、無線通信機の傾きを測定することにより、使用モードを検出し、出力信号を適切な送信出力値に変更することができる。
さらに好ましくは、使用モード検出部は、無線通信機に対する操作を受付ける操作部と、操作部に接続され、操作部の出力結果に基づいて、使用モードを検出する検出回路とを含む。
利用者の特定の操作方法で使用モードが決定される場合に、ユーザの操作を分析することにより、使用モードを検出し、出力信号を適切な送信出力値に変更することができる。
さらに好ましくは、使用モード検出部は、無線通信機の振動の振幅を測定する振幅測定部と、無線通信機の傾きを測定する傾き測定部と、振幅測定部および傾き測定部に接続され、振幅測定部および傾き測定部のそれぞれの出力結果に基づいて、使用モードを検出する検出回路とを含む。
無線通信機の特徴に合わせて使用モードを認識する実現方法を複数備えることにより、使用モードを検出し、出力信号を適切な送信出力値に変更することができる。
発明を実施するための最良の形態
［第１の実施例］
第２図を参照して、本発明の第１の実施例による無線通信機１は、アンテナ５と、アンテナ５に接続され、アンテナ５より出力信号を送信する送信回路２と、送信回路２に接続され、送信回路２の出力を制御する出力制御回路４と、２つのコネクタ８および９と、コネクタ８および９に接続され、コネクタ８または９に外部機器等が接続されているか否かを検出する外部機器等接続検出部１０と、コネクタ８および９、外部機器等接続検出部１０ならびに出力制御回路４に接続され、外部機器等接続検出部１０の出力に従い出力制御回路４を制御する制御回路３とを含む。
制御回路３は、無線通信機１の複数の使用モードに応じてそれぞれ定められた複数の最大送信出力を記憶する使用モード最大送信出力対応記憶部６と、使用モード最大送信出力対応記憶部６および外部機器等接続検出部１０に接続され、外部機器等接続検出部１０の出力に従い後述するフローチャートに従った処理を実行し、出力制御回路４を制御するＣＰＵ７とを含む。
第３図を参照して、無線通信機１の各部は以下のように動作する。ここでは、無線通信機１の使用モードとして、第４図に示すように無線通信機１を机上に設置して使用するモード、第５図に示すように鞄の中に入れて使用するモードおよび第６図に示すように利用者が耳にあてて使用するモードの計３つの使用モードが存在するものと仮定する。
無線通信機１には、コネクタ８および９の２つのコネクタが存在する。コネクタ８に外部機器等が接続される場合は、無線通信機１が机上で使用されていると判断される。コネクタ９に外部機器等が接続される場合は、無線通信機１が鞄の中に入れて使用されていると判断される。コネクタ８および９のいずれにも外部機器等が接続されていない場合には、利用者が無線通信機１を耳にあてて使用していると判断される。この外部機器等の接続と使用モードとの対応関係はＣＰＵ７に記憶されている。この時、例えば使用モード最大送信出力対応記憶部６には、机上に設置して使用するモードの場合には“Ａ”、鞄の中に入れて使用するモードの場合には“Ｂ”、利用者が耳にあてて使用するモードの場合には“Ｃ”という値の最大送信出力値がそれぞれ記憶されているものとする。
外部機器等接続検出部１０は、コネクタ８または９への外部機器等の接続状態を検出する（Ｓ２）。外部機器等接続検出部１０は、検出結果をＣＰＵ７に報告する（Ｓ３）。例えばコネクタ８への外部機器等の接続を検出した場合、外部機器等接続検出部１０はＣＰＵ７へ「コネクタ８に外部機器等の接続があり」との報告をする。
ＣＰＵ７は、外部機器等接続検出部１０からの報告に従い使用モードの判断を行なう（Ｓ６）。たとえば、「コネクタ８に外部機器等の接続があり」との報告を受けた場合は、ＣＰＵ７は、無線通信機１が机上に設置して使用されるモードであると判断する。コネクタ８および９の接続状態とモードとの関係は上述した通りである。
ＣＰＵ７は、無線通信機１が机上に設置して使用されるモードであると判断した場合には（Ｓ６で「机上に設置して使用するモード」）、使用モード最大送信出力対応記憶部６より最大送信出力値＝“Ａ”を得る（Ｓ８）。
ＣＰＵ７は、無線通信機１が鞄の中に入れて使用されるモードであると判断した場合には（Ｓ６で「鞄の中に入れて使用するモード」）、使用モード最大送信出力対応記憶部６より最大送信出力値＝“Ｂ”を得る（Ｓ１０）。
ＣＰＵ７は、利用者が無線通信機１を耳にあてて使用するモードであると判断した場合には（Ｓ６で「利用者が耳にあてて使用するモード」）、使用モード最大送信出力対応記憶部６より最大送信出力値＝“Ｃ”を得る（Ｓ１２）。
ＣＰＵ７の指示により制御回路３は、出力制御回路４にＳ８〜Ｓ１２のいずれかの処理で得られた最大送信出力値を設定する（Ｓ１４）。その後、無線通信処理が継続される（Ｓ１６）。
以上説明した処理は、無線通信機の通信とは別にバックグラウンド、またはタイマによる割込処理により常時行なわれる。
本実施例によると、外部機器等が接続されることにより使用モードが変わっても、アンテナからの最大出力電力が最適となるように制御することができる。
また、無線通信機を、机上に設置して使用する場合、鞄の中に入れて使用する場合、利用者の耳にあてて使用する場合等、使用モードの違いに合わせて、アンテナからの最大出力電力を最適になるように制御することができる。
さらに、第３図に示した処理は、無線通信機の通信とは別にバックグラウンド、またはタイマによる割込処理により常時行なわれる。このため、使用モードの変更に常に応答し、最適な最大出力電力をアンテナから出力できるようになる。
［第２の実施例］
本発明の第２の実施例による無線通信機は、第２図を参照して説明した無線通信機と同様のハードウェア構成を有する。このため、その詳細な説明はここでは繰返さない。
第１の実施例では、使用モードを認識する処理をバックグラウンドまたはタイマ割込処理により常時行なう。本実施例では、使用モードを認識する処理を着信応答前または発呼要求送信前に行なう。
第７図を参照して、無線通信機１の各部は以下のように動作する。
無線通信機１に電源が投入されると（Ｓ２２）、無線通信機１は待受け状態に移行する（Ｓ４）。制御回路３は、無線通信機１が着信したか否かを判断する（Ｓ２６）。無線通信機１が着信した場合には（Ｓ２６でＹＥＳ）、ＣＰＵ７において無線通信機１の使用モードを認識する使用モード認識処理が実行される（Ｓ２８）。使用モード認識処理については後述する。
Ｓ２８の後、無線通信機１は着信応答を行ない（Ｓ３０）、無線通信処理を継続する（Ｓ３２）。制御回路３は、通話が終了したか否かを判断し（Ｓ３４）、通話が終了していなければ（Ｓ３４でＮＯ）、Ｓ３２に戻る。通話が終了していれば（Ｓ３４でＹＥＳ）、Ｓ２４に戻り、再び待受け状態となる。
無線通信機１が着信していない場合には（Ｓ２６でＮＯ）、制御回路３は、利用者による発呼動作があるか否かを判断する（Ｓ３６）。発呼動作があると判断された場合には（Ｓ３６でＹＥＳ）、Ｓ２８と同様の使用モード認識処理が実行される（Ｓ３８）。Ｓ３８の後、送信回路２より発呼要求が送信される（Ｓ４０）。その後、無線通信処理が継続される（Ｓ４２）。制御回路３は、通話が終了したか否かを判断し（Ｓ４４）、通話が終了していなければ（Ｓ４４でＮＯ）、Ｓ４２に戻る。通話が終了していれば（Ｓ４４でＹＥＳ）、Ｓ２４に戻り、再び待受け状態となる。
着信も発呼動作もなければ（Ｓ２６でＮＯ、かつＳ３６でＮＯ）、制御回路３は無線通信機１の電源が切られたか否かを判断する（Ｓ４６でＮＯ）、無線通信機１の電源が切られていなければ（Ｓ４６でＮＯ）、Ｓ２４に戻り、再び待受け状態となる。無線通信機１の電源が切られると（Ｓ４６でＹＥＳ）、処理を終了する。
第８図を参照して、第７図のＳ２８およびＳ３８の使用モード認識処理について説明する。この処理は、無線通信機１の使用モードを認識し、出力制御回路４に適切な最大送信出力値を設定する処理である。処理の内容は、第３図のＳ６〜Ｓ１４の処理と同様である。このため、その詳細な説明はここでは繰返さない。
本実施例によると、使用モード認識処理は着信応答前または発呼要求送信前のみにおいて行なわれる。このため、通信中に使用モードの変更が行なわれないような無線通信機の場合には、第１の実施例と比較して使用モード認識処理の回数を減らすことができる。この結果、無線通信機の消費電力を削減することができる。
［第３の実施例］
本発明の第３の実施例による無線通信機は、第２図を参照して説明した無線通信機と同様のハードウェア構成を有する。このため、その詳細な説明はここでは繰返さない。
第１の実施例では、使用モードを認識する処理をバックグラウンドまたはタイマ割込処理により常時行なう。本実施例では、使用モードを認識する処理を電源投入時に行なう。
第９図を参照して、無線通信機１の各部は以下のように動作する。
無線通信機１に電源が投入されると（Ｓ２２）、使用モード認識処理（Ｓ５２）が行なわれる。使用モード認識処理は、第８図を参照して説明したものと同様である。このため、その説明はここでは繰返さない。
使用モード認識処理（Ｓ５２）の後、無線通信機１は待受け状態に移行する（Ｓ２４）。待受け状態に移行した後の処理は、第７図において、Ｓ２８およびＳ３８の使用モード認識処理を除外したものと同様である。このため、その詳細な説明はここでは繰返さない。
本実施例によると、使用モード認識処理は無線通信機１の電源投入時のみにおいて行なわれる。このため、電源投入後に使用モードの変更が行なわれないような無線通信機の場合には、第１の実施例または第２の実施例と比較して使用モード認識処理の回数を減らすことができる。この結果、無線通信機の消費電力を削減することができる。
［第４の実施例］
第１０図を参照して、本発明の第４の実施例による無線通信機２１は、アンテナ５と、アンテナ５に接続され、アンテナ５より出力信号を送信する送信回路２と、送信回路２に接続され、送信回路２の出力を制御する出力制御回路４と、コネクタ８と、コネクタ８および出力制御回路４に接続され、コネクタ８への外部機器等２５の接続状態に基づいて出力制御回路４を制御する制御回路２３とを含む。
制御回路２３は、無線通信機２１の複数の使用モードに応じてそれぞれ定められた複数の最大送信出力を記憶する使用モード最大送信出力対応記憶部６と、使用モード最大送信出力対応記憶部６およびコネクタ８に接続され、コネクタ８への外部機器等２５の接続状態に従い後述するフローチャートに従った処理を実行し、出力制御回路４を制御するＣＰＵ２７とを含む。
ＣＰＵ２７はコネクタに接続された外部機器等と通信し、その情報をもとに無線通信機２１の使用モードを認識する。
第１１図を参照して、無線通信機２１の各部は以下のように動作する。
ここでは、使用モードとして、机上に設置して使用するモードおよび利用者が耳にあてて使用するモードの２つのモードがあるものと仮定する。
例えばコネクタ８には外部機器としてカメラユニットが接続され、このカメラユニットを使用して無線通信機２１をテレビ電話として使用する場合は、利用者自身をカメラにて写さなければならない。このような場合は机上に設置して使用するモードであると考えられる。
一方、カメラユニットをコネクタ８に接続しただけでは机に設置して使用するモードと決定できない場合、例えば、カメラユニットを取り付けたままテレビ電話として使用せずに、音声のみを送受信するような使い方の場合には、利用者が耳にあてて使用するモードと考える。
無線通信機２１およびカメラユニットをテレビ電話として使用する際には、カメラユニットから画像データを取込む必要がある。画像データを取込む際には、無線通信機２１とカメラユニットとの間で上手く接続できているか否かを確認するためのデータの受渡し処理（以下「ハンドシェーク動作」という。）が行なわれる。このため、無線通信機２１とカメラユニットとの間でハンドシェーク動作が行なわれた場合には、机上に設置して使用するモードであると考えられる。それ以外の場合には、利用者が無線通信機２１を手で持っており、かつ耳にあてて使用していると考えられる。
この外部機器等２５との通信結果と使用モードとの対応関係はＣＰＵ２７に予め記憶されているものとする。このとき、使用モード最大送信出力対応記憶部６には、机上に設置して使用するモードの場合には“Ａ”、利用者が耳にあてて使用するモードの場合には“Ｃ”という最大出力値がそれぞれ記憶されているものとする。
ＣＰＵ２７は、コネクタ８を介して外部機器等２５との間で通信を行なう（Ｓ６４）。
ＣＰＵ２７は、ハンドシェーク動作の結果、使用モードを認識し（Ｓ６４）、ハンドシェーク動作が成功した場合には、ＣＰＵ２７は、無線通信機２１を机上に設置して使用していると判断し（Ｓ６４で「机上に設置して使用するモード」）、使用モード最大送信出力対応記憶部６より最大送信出力値＝“Ａ”を得る（Ｓ８）。ハンドシェーク動作に失敗した場合またはハンドシェーク動作が行なわれなかった場合には、ＣＰＵ２７は、無線通信機２１を利用者が耳にあてて使用していると判断し（Ｓ６４で「利用者が耳にあてて使用するモード」）、使用モード最大送信出力対応記憶部６より最大送信出力値＝“Ｃ”を得る（Ｓ１２）。
ＣＰＵ３７の指示により制御回路３３は、出力制御回路４にＳ８またはＳ１２の処理で得られた最大送信出力値を設定する（Ｓ１４）。その後、無線通信処理が継続される（Ｓ１６）。
本実施例によると、外部機器等と通信することにより、最適な最大出力電力をアンテナから出力できるようになる。
［第５の実施例］
第１２図を参照して、本発明の第５の実施例による無線通信機３１は、アンテナ５と、アンテナ５に接続され、アンテナ５より出力信号を送信する送信回路２と、送信回路２に接続され、送信回路２の出力を制御する出力制御回路４と、無線通信機３１周辺の温度または無線通信機３１表面の温度を測定する温度測定部１１と、温度測定部１１および出力制御回路４に接続され、温度測定部１１の出力結果に基づいて出力制御回路４を制御する制御回路３３とを含む。
制御回路３３は、無線通信機３１の複数の使用モードに応じてそれぞれ定められた複数の最大送信出力を記憶する使用モード最大送信出力対応記憶部６と、使用モード最大送信出力対応記憶部６および温度測定部１１に接続され、温度測定部１１の出力結果に基づいて後述するフローチャートに従った処理を実行し、出力制御回路４を制御するＣＰＵ３７とを含む。
第１３図を参照して、無線通信機３１の各部は以下のように動作する。
ここでは、使用モードとして、机上に設置して使用するモードおよび利用者が耳にあてて使用するモードの計２つのモードがあるものと仮定する。
無線通信機３１表面の温度を測定し、その分布を調べ、その温度分布が緩やかな変化の場合は、無線通信機３１が机上に設置して使用されていると考えられ、温度分布がいくつかの場所で急激に変化した場合は、利用者が無線通信機３１を手で持っており、かつ耳にあてて使用していると考えられる。
この温度分布の変化の程度を判断する基準は予めＣＰＵ３７に設定されているものとする。また、無線通信機３１表面の温度分布と使用モードとの対応関係はＣＰＵ３７に記憶されているものとする。このとき、使用モード最大送信出力対応記憶部６には、机上に設置して使用するモードの場合には“Ａ”、利用者が耳にあてて使用するモードの場合には“Ｃ”という最大出力値がそれぞれ記憶されているものとする。
温度測定部１１は無線通信機３１表面の温度を測定し（Ｓ７２）、測定温度をＣＰＵ３７へ報告する（Ｓ７４）。ＣＰＵ３７は、温度測定部１１での測定温度に基づいて無線通信機３１表面の温度分布を作成する（Ｓ７６）。
ＣＰＵ３７は、無線通信機３１表面の温度分布の変化が緩やかか急激かを判断する（Ｓ７８）。表面温度の分布が緩やかな場合には、ＣＰＵ３７は、無線通信機３１を机上に設置して使用していると判断し（Ｓ７８で「机上に設置して使用するモード」）、使用モード最大送信出力対応記憶部６より最大送信出力値＝“Ａ”を得る（Ｓ８）。表面温度の分布が急激な場合には、ＣＰＵ３７は、無線通信機３１を利用者が耳にあてて使用していると判断し（Ｓ７８で「利用者が耳にあてて使用するモード」）、使用モード最大送信出力対応記憶部６より最大送信出力値＝“Ｃ”を得る（Ｓ１２）。
ＣＰＵ３７の指示により制御回路３３は、出力制御回路４にＳ８またはＳ１２の処理で得られた最大送信出力値を設定する（Ｓ１４）。その後、無線通信処理が継続される（Ｓ１６）。
本実施例によると、使用モードにより周辺の温度または無線通信機表面の温度が変化する場合に、最適な最大出力電力をアンテナから出力できるようになる。
［第６の実施例］
第１４図を参照して、本発明の第６の実施例による無線通信機４１は、アンテナ５と、アンテナ５に接続され、アンテナ５より出力信号を送信する送信回路２と、送信回路２に接続され、送信回路２の出力を制御する出力制御回路４と、無線通信機４１から障害物までの距離を測定する距離測定部１２と、距離測定部１２および出力制御回路４に接続され、距離測定部１２の出力結果に基づいて出力制御回路４を制御する制御回路４３とを含む。
制御回路４３は、無線通信機４１の複数の使用モードに応じてそれぞれ定められた複数の最大送信出力を記憶する使用モード最大送信出力対応記憶部６と、使用モード最大送信出力対応記憶部６および距離測定部１２に接続され、距離測定部１２の出力結果に基づいて後述するフローチャートに従った処理を実行し、出力制御回路４を制御するＣＰＵ４７とを含む。
距離測定部１２は測定した無線通信機４１から障害物までの距離をＣＰＵ４７に報告し、ＣＰＵ４７は、距離測定部１２からの情報をもとに使用モードを認識する。距離の測定方法は、例えば、赤外線、光、音等を無線通信機４１から送信し、障害物に反射して無線通信機４１に返って来るまでの時間を測定し、その時間から距離を求める方法等が考えられる。
第１５図を参照して、無線通信機４１の各部は以下のように動作する。
ここでは、使用モードとして、机上に設置して使用するモードおよび利用者が耳にあてて使用するモードの計２つのモードがあるものと仮定する。
無線通信機４１と障害物（例えば利用者）までの距離が予め定められたしきい値以上の場合は、無線通信機４１が机上に設置して使用されていると考えられ、当該距離が当該しきい値未満の場合は、利用者が無線通信機４１を手で持っており、かつ耳にあてて使用していると考えられる。
このしきい値は、予めＣＰＵ４７に設定されているものとする。また、無線通信機４１から障害物までの距離と使用モードとの対応関係はＣＰＵ４７に記憶されているものとする。この時、使用モード最大送信出力対応記憶部６には、机上に設置して使用するモードの場合には“Ａ”、利用者が耳にあてて使用するモードの場合には“Ｃ”という最大出力値がそれぞれ記憶されているものとする。
距離測定部１２は、無線通信機４１から障害物までの距離を測定し（Ｓ８２）、距離測定結果をＣＰＵ４７へ報告する（Ｓ８４）。ＣＰＵ４７は距離測定結果が予め定められたしきい値以上か否かを判断する（Ｓ８６）。距離測定結果がしきい値以上の場合には、ＣＰＵ４７は、無線通信機４１を机上に設置して使用していると判断し（Ｓ８６で「机上に設置して使用するモード」）、使用モード最大送信出力対応記憶部６より最大送信出力値＝“Ａ”を得る（Ｓ８）。距離測定結果がしきい値未満の場合には、ＣＰＵ４７は、無線通信機４１を利用者が耳にあてて使用していると判断し（Ｓ８６で「利用者が耳にあてて使用するモード」）、使用モード最大送信出力対応記憶部６より最大送信出力値＝“Ｃ”を得る（Ｓ１２）。
ＣＰＵ４７の指示により制御回路４３は、出力制御回路４にＳ８またはＳ１２の処理で得られた最大送信出力値を設定する（Ｓ１４）。その後、無線通信処理が継続される（Ｓ１６）。
本実施例によると、使用モードにより無線通信機と障害物（例えば利用者）までの距離が変化する場合に、無線通信機から障害物（例えば利用者）までの距離を測定することにより、最適な最大出力電力をアンテナから出力できるようになる。
［第７の実施例］
第１６図を参照して、本発明の第７の実施例による無線通信機５１は、アンテナ５と、アンテナ５に接続され、アンテナ５より出力信号を送信する送信回路２と、送信回路２に接続され、送信回路２の出力を制御する出力制御回路４と、無線通信機５１の振動の振幅を測定する振幅測定部１３と、振幅測定部１３および出力制御回路４に接続され、振幅測定部１３の出力結果に基づいて出力制御回路４を制御する制御回路５３とを含む。
制御回路５３は、無線通信機５１の複数の使用モードに応じてそれぞれ定められた複数の最大送信出力を記憶する使用モード最大送信出力対応記憶部６と、使用モード最大送信出力対応記憶部６および振幅測定部１３に接続され、振幅測定部１３の出力結果に基づいて後述するフローチャートに従った処理を実行し、出力制御回路４を制御するＣＰＵ５７とを含む。
第１７図を参照して、無線通信機５１の各部は以下のように動作する。
ここでは、使用モードとして、机上に設置して使用するモードおよび利用者が耳にあてて使用するモードの計２つのモードがあるものと仮定する。
無線通信機５１の振幅を測定し、単位時間あたりに予め定められた振幅しきい値以上の振幅で振動した回数をカウントする。無線通信機５１の振動回数が予め定められたカウントしきい値未満の場合には、無線通信機５１が机上に設置して使用されていると考えられ、振動回数がカウントしきい値以上の場合には、利用者が無線通信機５１を手で持っており、かつ耳にあてて使用していると考えられる。
この単位時間、振幅しきい値およびカウントしきい値は、予めＣＰＵ５７に設定されているものとする。また、振幅回数と使用モードとの対応関係はＣＰＵ５７に記憶されているものとする。このとき、使用モード最大送信出力対応記憶部６には、机上に設置して使用するモードの場合には“Ａ”、利用者が耳にあてて使用するモードの場合には“Ｃ”いう最大出力値がそれぞれ記憶されているものとする。
振幅測定部１３は、無線通信機５１の振動の振幅を測定し（Ｓ９２）、ＣＰＵ５７へ振幅測定結果を報告する（Ｓ９４）。ＣＰＵ５７は、単位時間あたりに無線通信機５１が振幅しきい値以上の振幅で振動した回数をカウントする（Ｓ９６）。ＣＰＵ５７は、その回数がカウントしきい値未満か否かを判断する（Ｓ９８）。その回数がカウントしきい値未満の場合には、ＣＰＵ５７は、無線通信機５１を机上に設置して使用していると判断し（Ｓ９８で「机上に設置して使用するモード」）、使用モード最大送信出力対応記憶部６より最大送信出力値＝“Ａ”を得る（Ｓ８）。その回数がカウントしきい値以上の場合には、ＣＰＵ５７は、無線通信機５１を利用者が耳にあてて使用していると判断し（Ｓ９８で「利用者が耳にあてて使用するモード」）、使用モード最大送信出力対応記憶部６より最大送信出力値＝“Ｃ”を得る（Ｓ１２）。
ＣＰＵ５７の指示により制御回路５３は、出力制御回路４にＳ８またはＳ１２の処理で得られた最大送信出力値を設定する（Ｓ１４）。その後、無線通信処理が継続される（Ｓ１６）。
本実施例によると、使用モードにより無線通信機の振動が変化する場合に、無線通信機の振動の振幅を測定することにより最適な最大出力電力をアンテナから出力できるようになる。
［第８の実施例］
第１８図を参照して、本発明の第８の実施例による無線通信機６１は、アンテナ５と、アンテナ５に接続され、アンテナ５より出力信号を送信する送信回路２と、送信回路２に接続され、送信回路２の出力を制御する出力制御回路４と、無線通信機６１の傾きを測定する傾き測定部１４と、傾き測定部１４および出力制御回路４に接続され、傾き測定部１４の出力結果に基づいて出力制御回路４を制御する制御回路６３とを含む。
制御回路６３は、無線通信機６１の複数の使用モードに応じてそれぞれ定められた複数の最大送信出力を記憶する使用モード最大送信出力対応記憶部６と、使用モード最大送信出力対応記憶部６および傾き測定部１４に接続され、傾き測定部１４の出力結果に基づいて後述するフローチャートに従った処理を実行し、出力制御回路４を制御するＣＰＵ６７とを含む。
第１９図を参照して、無線通信機６１の各部は以下のように動作する。
ここでは、使用モードとして、机上に設置して使用するモードおよび利用者が耳にあてて使用するモードの計２つのモードがあるものと仮定する。
無線通信機６１を机上に設置して使用する場合は、無線通信機６１を収納する専用のホルダーが存在する。このため、無線通信機６１の傾きが予め定められた第１のしきい値より大きく、かつ第１のしきい値よりも大きな値を有する予め定められた第２のしきい値未満の場合には、机上の専用ホルダーに無線通信機６１が設置されていると考えられる。それ以外の場合には、利用者が無線通信機６１を手に持っており、かつ耳にあてて使用していると考えられる。
第１のしきい値および第２のしきい値は、予めＣＰＵ６７に設定されているものとする。また、無線通信機６１の傾きと使用モードとの対応関係はＣＰＵ６７に記憶されているものとする。このとき、使用モード最大送信出力対応記憶部６には、机上に設置して使用するモードの場合には“Ａ”、利用者が耳にあてて使用するモードの場合には“Ｃ”という最大出力値がそれぞれ記憶されているものとする。
傾き測定部１４は無線通信機６１の傾きを測定し（Ｓ１０２）、その傾きをＣＰＵ６７に報告する（Ｓ１０４）。
ＣＰＵ６７は、無線通信機６１の傾きが第１のしきい値より大きくかつ第２のしきい値未満か、否かを判断する（Ｓ１０６）。無線通信機６１の傾きが第１のしきい値より大きくかつ第２のしきい値未満の場合には、ＣＰＵ６７は、無線通信機６１を机上に設置して使用していると判断し（Ｓ１０６で「机上に設置して使用するモード」）、使用モード最大送信出力対応記憶部６より最大送信出力値＝“Ａ”を得る（Ｓ８）。無線通信機６１の傾きがそれ以外の場合には、ＣＰＵ６７は、無線通信機６１を利用者が耳にあてて使用していると判断し（Ｓ１０６で「利用者が耳にあてて使用するモード」）、使用モード最大送信出力対応記憶部６より最大送信出力値＝“Ｃ”を得る（Ｓ１２）。
ＣＰＵ６７の指示により制御回路６３は、出力制御回路４にＳ８またはＳ１２の処理で得られた最大送信出力値を設定する（Ｓ１４）。その後、無線通信処理が継続される（Ｓ１６）。
本実施例によると、使用モードにより無線通信機の傾きが変化する場合に、無線通信機の傾きを測定することにより最適な最大出力電力をアンテナから出力できるようになる。
［第９の実施例］
第２０図を参照して、本発明の第９の実施例による無線通信機７１は、アンテナ５と、アンテナ５に接続され、アンテナ５より出力信号を送信する送信回路２と、送信回路２に接続され、送信回路２の出力を制御する出力制御回路４と、無線通信機７１に対する操作を受付ける操作部１５と、操作部１５および出力制御回路４に接続され、操作部１５の出力結果に基づいて出力制御回路４を制御する制御回路７３とを含む。
制御回路７３は、無線通信機７１の複数の使用モードに応じてそれぞれ定められた複数の最大送信出力を記憶する使用モード最大送信出力対応記憶部６と、使用モード最大送信出力対応記憶部６および操作部１５に接続され、操作部１５の出力結果に基づいて後述するフローチャートに従った処理を実行し、出力制御回路４を制御するＣＰＵ７７とを含む。
ＣＰＵ７７は、利用者が無線通信機７１に対してどのような操作を行なったかを分析する機能を備えている。その分析結果に基づいて使用モードを認識する。
第２１図を参照して、無線通信機７１の各部は以下のように動作する。
ここでは、使用モードとして、机上に設置して使用するモードおよび利用者が耳にあてて使用するモードの計２つのモードがあるものと仮定する。
利用者が無線通信機７１を「外部機器からＡＴコマンドを使用して操作」した場合は、無線通信機７１が机上に設置して使用されていると考えられ、それ以外の場合には、利用者が無線通信機７１を手で持っており、かつ耳にあてて使用していると考えられる。ＡＴコマンドとは、変復調器（モデム）を制御するための一般的なコマンドセットである。ＡＴコマンドを使用する場合として、無線通信機７１を変復調器として使用し、無線通信機７１にパーソナルコンピュータなどを接続し、データ転送などを行なう場合が考えられる。
分析対象となる利用者の操作は予めＣＰＵ７７に設定されているものとする。また、利用者の無線通信機７１に対する操作と使用モードとの対応関係はＣＰＵに記憶されているものとする。このとき、使用モード最大送信出力対応記憶部６には、机上に設置して使用するモードの場合には“Ａ”、利用者が耳にあてて使用するモードの場合には“Ｃ”という最大出力値がそれぞれ記憶されているものとする。
ＣＰＵ７７は利用者の無線通信機７１に対する操作を操作部１５より受け、分析する（Ｓ１１２）。ＣＰＵ７７は、利用者が外部機器からＡＴコマンドを使用して操作部１５を介した操作を行なったか否かを判断する（Ｓ１１４）。利用者が外部機器からＡＴコマンドを使用して無線通信機７１を操作した場合には、ＣＰＵ７７は、無線通信機７１を机上に設置して使用していると判断し（Ｓ１１４で「机上に設置して使用するモード」）、使用モード最大送信出力対応記憶部６より最大送信出力値＝“Ａ”を得る（Ｓ８）。それ以外の場合には、ＣＰＵ７７は、無線通信機７１を利用者が耳にあてて使用していると判断し（Ｓ１１４で「利用者が耳にあてて使用するモード」）、使用モード最大送信出力対応記憶部６より最大送信出力値＝“Ｃ”を得る（Ｓ１２）。
ＣＰＵ７７の指示により制御回路７３は、出力制御回路４にＳ８またはＳ１２の処理で得られた最大送信出力値を設定する（Ｓ１４）。その後、無線通信処理が継続される（Ｓ１６）。
本実施例によると、利用者の特定の操作方法で使用モードが決定される場合に、ユーザの操作を分析することにより、最適な最大出力電力をアンテナから出力できるようになる。
［第１０の実施例］
第１の実施例から第９の実施例まででは、無線通信機の使用モードを認識するためのさまざまな実現方法を示してきた。これらの実現方法を複数組合わせた無線通信機を構成することも可能である。
その一例を第２２図に示す。第２２図を参照して、本発明の第１０の実施例による無線通信機８１は、アンテナ５と、アンテナ５に接続され、アンテナ５より出力信号を送信する送信回路２と、送信回路２に接続され、送信回路２の出力を制御する出力制御回路４と、無線通信機８１の振動の振幅を測定する振幅測定部１３と、無線通信機８１の傾きを測定する傾き測定部１４と、振幅測定部１３、傾き測定部１４および出力制御回路４に接続され、振幅測定部１３および傾き測定部１４の出力結果に基づいて出力制御回路４を制御する制御回路８３とを含む。
制御回路８３は、無線通信機８１の複数の使用モードに応じてそれぞれ定められた複数の最大送信出力を記憶する使用モード最大送信出力対応記憶部６と、使用モード最大送信出力対応記憶部６、振幅測定部１３および傾き測定部１４に接続され、振幅測定部１３および傾き測定部１４の出力結果に基づいて後述するフローチャートに従った処理を実行し、出力制御回路４を制御するＣＰＵ８７とを含む。
第２３図を参照して、無線通信機８１の各部は以下のように動作する。
ここでは、使用モードとして、机上に設置して使用するモードおよび利用者が耳にあてて使用するモードの計２つのモードがあるものと仮定する。
無線通信機８１を机上に設置して使用する場合は、無線通信機８１を収納する専用のホルダーが存在する。このため、無線通信機８１の傾きが予め定められた第１のしきい値より大きく、かつ第１のしきい値よりも大きな値を有する予め定められた第２のしきい値未満の場合には、机上の専用ホルダーに無線通信機８１が設置されていると考えられる。しかし、無線通信機８１の傾きが第１のしきい値と第２のしきい値との間であっても、利用者が無線通信機８１を手に持って、耳にあてて使用している場合も考えられる。このため、さらに条件を加える。無線通信機８１の振幅を測定し、単位時間あたりに振幅しきい値以上の振幅で振動した回数をカウントする。
すなわち、単位時間あたり無線通信機８１が振幅しきい値以上で振動する回数がカウントしきい値未満の場合で、かつ無線通信機８１の傾きが第１のしきい値から第２のしきい値の間にある場合にのみ、無線通信機８１は机上に設置して使用されていると考える。それ以外の場合は、無線通信機８１は、利用者の耳にあてて使用されていると考える。
第１のしきい値、第２のしきい値、振幅しきい値、カウントしきい値および単位時間は予めＣＰＵ８７に設定されているものとする。また、無線通信機８１の傾きおよび振動回数と使用モードとの対応関係はＣＰＵ８７に記憶されているものとする。このとき、使用モード最大送信出力対応記憶部６には、机上に設置して使用するモードの場合には“Ａ”、利用者が耳にあてて使用するモードの場合には“Ｃ”という最大出力値がそれぞれ記憶されているものとする。
まず、Ｓ９２〜Ｓ９６の処理が実行され無線通信機８１の振動回数が求められる。これらの処理は、第１７図を参照して説明したものと同様である。このため、その詳細な説明はここでは繰返さない。
Ｓ９２〜Ｓ９６の処理と並行して、Ｓ１０２およびＳ１０４の処理が実行され、無線通信機８１の傾きが求められる。これらの処理は、第１９図を参照して説明したものとと同様である。このため、その詳細な説明はここでは繰返さない。
ＣＰＵ８７は、無線通信機８１の振動回数がカウントしきい値未満で、かつ無線通信機８１の傾きが第１のしきい値より大きくかつ第２のしきい値より小さいか、否かを判断する（Ｓ１２２）。
Ｓ１２２の条件を満たす場合には、ＣＰＵ８７は、無線通信機８１を机上に設置して使用していると判断し（Ｓ１２２で「机上に設置して使用するモード」）、使用モード最大送信出力対応記憶部６より最大送信出力値＝“Ａ”を得る（Ｓ８）。Ｓ１２２の条件を満たさない場合には、ＣＰＵ８７は、無線通信機８１を利用者が耳にあてて使用していると判断し（Ｓ１２２で「利用者が耳にあてて使用するモード」）、使用モード最大送信出力対応記憶部６より最大送信出力値＝“Ｃ”を得る（Ｓ１２）。
ＣＰＵ８７の指示により制御回路８３は、出力制御回路４にＳ８またはＳ１２の処理で得られた最大送信出力値を設定する（Ｓ１４）。その後、無線通信処理が継続される（Ｓ１６）。
本実施例によると、無線通信機の特徴に合わせて使用モードを認識する実現方法を複数備えることにより、最適な最大出力電力をアンテナから出力できるようになる。
産業上の利用可能性
以上のように、本発明に係る無線通信機では、利用者の使用態様を検知することができる。このため、利用者の使用態様に応じて最適な最大出力電力をアンテナから出力するのに適してしている。
【図面の簡単な説明】
第１図は、日本国特開平８−６５３６５に開示された無線通信装置のハードウェア構成を示すブロック図である。
第２図は、本発明の第１の実施例による無線通信機のハードウェア構成を示すブロック図である。
第３図は、第１の実施例による無線通信機により実行される処理のフローチャートである。
第４図は、無線通信機を机上に設置して使用するモードを説明するための図である。
第５図は、無線通信機を鞄の中に入れて使用するモードを説明するための図である。
第６図は、無線通信機を利用者が耳にあてて使用するモードを説明するための図である。
第７図は、第２の実施例による無線通信機により実行される処理のフローチャートである。
第８図は、第７図のＳ２８およびＳ３８の使用モード認識処理のフローチャートである。
第９図は、第３の実施例による無線通信機により実行される処理のフローチャートである。
第１０図は、第４の実施例による無線通信機のハードウェア構成を示すブロック図である。
第１１図は、第４の実施例による無線通信機により実行される処理のフローチャートである。
第１２図は、第５の実施例による無線通信機のハードウェア構成を示すブロック図である。
第１３図は、第５の実施例による無線通信機により実行される処理のフローチャートである。
第１４図は、第６の実施例による無線通信機のハードウェア構成を示すブロック図である。
第１５図は、第６の実施例による無線通信機により実行される処理のフローチャートである。
第１６図は、第７の実施例による無線通信機のハードウェア構成を示すブロック図である。
第１７図は、第７の実施例による無線通信機により実行される処理のフローチャートである。
第１８図は、第８の実施例による無線通信機のハードウェア構成を示すブロック図である。
第１９図は、第８の実施例による無線通信機により実行される処理のフローチャートである。
第２０図は、第９の実施例による無線通信機のハードウェア構成を示すブロック図である。
第２１図は、第９の実施例による無線通信機により実行される処理のフローチャートである。
第２２図は、第１０の実施例による無線通信機のハードウェア構成を示すブロック図である。
第２３図は、第１０の実施例による無線通信機により実行される処理のフローチャートである。
【図１】
2002029986.tif 000003
【図２】
2002029986.tif 000004
【図３】
2002029986.tif 000005
【図４】
2002029986.tif 000006
【図５】
2002029986.tif 000007
【図６】
2002029986.tif 000008
【図７】
2002029986.tif 000009
【図８】
2002029986.tif 000010
【図９】
2002029986.tif 000011
【図１０】
2002029986.tif 000012
【図１１】
2002029986.tif 000013
【図１２】
2002029986.tif 000014
【図１３】
2002029986.tif 000015
【図１４】
2002029986.tif 000016
【図１５】
2002029986.tif 000017
【図１６】
2002029986.tif 000018
【図１７】
2002029986.tif 000019
【図１８】
2002029986.tif 000020
【図１９】
2002029986.tif 000021
【図２０】
2002029986.tif 000022
【図２１】
2002029986.tif 000023
【図２２】
2002029986.tif 000024
【図２３】
2002029986.tif 000025
【国際調査報告】
2002029986.tif 000026
2002029986.tif 000027
2002029986.tif 000028
2002029986.tif 000029
2002029986.tif 000030